(57)【要約】【課題】予備のビットなどの先端工具を好適に保持する構造を提供する。【解決手段】先端工具ホルダ３０は、電動工具に形成された取付孔に挿入される爪部３１と、先端工具を収納可能な収納部３２と、爪部３１に対向して設けられる開口部３３とを備える。先端工具の軸線が、爪部３１と開口部３３とが対向する方向に実質的に垂直となるように、収納部３２は先端工具を収納する。先端工具ホルダ３０は、対向する第１アーム部３４ａおよび第２アーム部３４ｂを有し、第１アーム部３４ａに開口部３３が設けられ、第２アーム部３４ｂに爪部３１が設けられる。【選択図】図４
2017159419.tif 000002
【特許請求の範囲】
【請求項１】
電動工具に取付可能な先端工具ホルダであって、
電動工具に形成された取付孔に挿入される爪部と、
先端工具を収納可能な収納部と、
前記爪部に対向する開口部と、
を備えることを特徴とする先端工具ホルダ。
【請求項２】
前記収納部は、先端工具の軸線が、前記爪部と前記開口部とが対向する方向に実質的に垂直となるように先端工具を収納可能である、
ことを特徴とする請求項１に記載の先端工具ホルダ。
【請求項３】
対向する一対のアーム部を備え、
一方の前記アーム部に前記爪部が設けられ、他方の前記アーム部に前記開口部が設けられる、
ことを特徴とする請求項１または２に記載の先端工具ホルダ。
【請求項４】
対向する第１開口部と第２開口部とを備え、
前記爪部は、第１開口部または第２開口部のいずれかに挿入されて固定される、
ことを特徴とする請求項１から３のいずれか１項に記載の先端工具ホルダ。
【請求項５】
前記開口部は、前記爪部が挿入された取付孔とは別の取付孔に重なり、フックの挿入部が挿入されて電動工具に支持される、
ことを特徴とする請求項１から４のいずれか１項に記載の先端工具ホルダ。
【請求項６】
把持部を有する電動工具であって、
把持部の下方の基部において左右一対に形成された取付孔と、
前記取付孔に挿入されたフックの挿入部を前記基部に取り付けるための取付部と、を備え、
一方の前記取付孔に、先端工具を収納可能な収納部を有する先端工具ホルダの爪部が挿入され、他方の前記取付孔に先端工具ホルダの開口部が重ねられた状態で、前記開口部および他方の前記取付孔に挿入されたフックの挿入部を前記取付部が前記基部に取り付けることで、先端工具ホルダが装着される、
ことを特徴とする電動工具。
【請求項７】
前記取付部は、フックの挿入部に係合する留め具と、前記留め具を付勢する弾性部材とを有する、
ことを特徴とする請求項６に記載の電動工具。
【発明の詳細な説明】
【技術分野】
【０００１】
本発明は、予備のビットなどの先端工具を保持する構造に関する。
【背景技術】
【０００２】
電動工具を用いた作業中、ビットなどの先端工具は、摩耗等により交換する必要が生じる。また１台の電動工具を用いて複数種類の作業を行う場合には、作業種類によって先端工具を交換することもある。このような場合に備えて、電動工具に予備の先端工具を保持させておくことが好ましい。
【０００３】
たとえば特許文献１は、作業者の腰ベルト等に掛止可能なフックに、ビットを収納するビット収納部を凹設したビット収納構造を開示する。また特許文献２は、ビットの嵌着用のソケット部を把手部の基台部上面に設けた携帯用電動工具を開示する。
【先行技術文献】
【特許文献】
【０００４】
【特許文献１】特開２００５−２９７１９２号公報
【特許文献２】特開２００４−２５５５０３号公報
【発明の概要】
【発明が解決しようとする課題】
【０００５】
予備ビットの保持構造は破損することがあるため、電動工具に対して着脱可能に構成されて、必要に応じて部品を容易に交換できることが好ましい。また電動工具が床面に置かれる際に、予備ビットの保持構造は、先端工具が床面に接触しないよう先端工具を保持していることが好ましい。
【０００６】
本発明はこうした状況に鑑みなされたものであり、その目的は、予備のビットなどの先端工具を保持する構造を提供することにある。
【課題を解決するための手段】
【０００７】
上記課題を解決するために、本発明のある態様は、電動工具に取付可能な先端工具ホルダに関する。この先端工具ホルダは、電動工具に形成された取付孔に挿入される爪部と、先端工具を収納可能な収納部と、爪部に対向する開口部とを備える。
【０００８】
本発明の別の態様は、把持部を有する電動工具である。この電動工具は、把持部の下方の基部において左右一対に形成された取付孔と、取付孔に挿入されたフックの挿入部を基部に取り付けるための取付部とを備える。一方の取付孔に、先端工具を収納可能な収納部を有する先端工具ホルダの爪部が挿入され、他方の取付孔に先端工具ホルダの開口部が重ねられた状態で、開口部および他方の取付孔に挿入されたフックの挿入部を取付部が基部に取り付けることで、先端工具ホルダが装着される。
【発明の効果】
【０００９】
本発明によれば、予備のビットなどの先端工具を保持する構造を提供できる。
【図面の簡単な説明】
【００１０】
【図１】実施形態の電動工具の側面図である。
【図２】工具本体を下面側から視た斜視図である。
【図３】取付部の断面図である。
【図４】先端工具ホルダの斜視図である。
【図５】（ａ）〜（ｃ）は先端工具ホルダを基部背面に取り付ける手順を説明するための図である。
【図６】電動工具に先端工具ホルダを取り付けた状態を示す図である。
【図７】取付部の変形例の断面図である。
【図８】（ａ）、（ｂ）は先端工具ホルダの変形例を示す図である。
【図９】（ａ）、（ｂ）は先端工具ホルダの変形例を示す図である。
【発明を実施するための形態】
【００１１】
図１は、実施形態の電動工具１の側面図である。実施形態の電動工具１は、工具本体２と、二次電池を内蔵した着脱可能なバッテリパック８とを備える。工具本体２の外装を構成するハウジングは、有底筒形状の胴部３と、胴部３から下方に延出する把持部４と、把持部４の下方に形成される基部７とを有する。把持部４は、作業者が把持するグリップを形成し、把持部４の前面には作業者が操作する操作スイッチ５が形成される。基部７の裏面には、箱状の収容ケースからなるバッテリパック８が取り付けられる。
【００１２】
ハウジングの胴部３は、駆動部であるモータ、モータ回転を減速する減速機構、減速された回転数で回転する出力軸などの駆動伝達機構を収容する。出力軸の先端は、胴部３の外側に延出され、ドライバビットなどの先端工具を装着するための工具装着部６を設けられる。実施形態では、出力軸の軸線Ｌに沿った工具装着部６の延出方向を前後方向、把持部４の略延出方向で前後方向と直交した方向を上下方向、前後方向および上下方向と直交する方向を左右方向とする。
【００１３】
実施形態の電動工具１は、作業者が電動工具１を使用しない際に、作業者の腰ベルト等に電動工具１を吊り下げるための吊り下げ具（フック）を取り付けるための構成を有している。
【００１４】
基部７は左右に側壁を有し、基部７の左右の側壁には、フックの挿入部を挿入するための取付孔がそれぞれ形成されている。左右の側壁に取付孔を設けることで、作業者は、左右の好きな位置にフックを取り付けることができる。たとえば右利きの作業者は、体の右側に電動工具１を吊り下げるために、電動工具１の背面からみて左側の側壁にフックを取り付ける。また左利きの作業者は、体の左側に電動工具１を吊り下げるために、電動工具１の背面からみて右側の側壁にフックを取り付ける。図１には、工具背面からみて左側に位置する左側壁９ａ、および左側壁９ａに形成された取付孔１０ａが示されている。
【００１５】
図２は、工具本体２を下面側から視た斜視図である。基部７は外観上、左右対称形状を有し、左側壁９ａおよび右側壁９ｂが、底部７ａから下方に延出して形成される。左側壁９ａには取付孔１０ａが設けられ、また右側壁９ｂには取付孔１０ｂ（図５参照）が設けられている。以下、取付孔１０ａ、１０ｂを特に区別しない場合には「取付孔１０」と呼ぶ。底部７ａは、バッテリパック８をモータや制御回路と電気的に接続する接続端子部７ｂを備える。また底部７ａは、フック２０を固定するための取付部１１を備える。
【００１６】
フック２０は、作業者のベルトなどに引っ掛ける掛止部２１と、取付孔１０に挿入する挿入部２２とを備える。挿入部２２は、留め具１２が挿通される開口２２ａを有する。掛止部２１および挿入部２２は、樹脂材料または金属材料により一体で形成される。
【００１７】
掛止部２１は、中央を切り欠いた板材を略Ｕ字状に屈曲させた形状をもつ。挿入部２２は平板状に形成され、挿入部２２の断面形状は、基部７の取付孔１０に挿入可能な形状となっている。挿入部２２を取付孔１０から取付部１１まで挿入し、ねじである留め具１２を開口２２ａに挿通して底部７ａのねじ穴７ｃに固定することで、挿入部２２が基部７の底部７ａに取り付けられる。
【００１８】
このように電動工具１は、基部７の側壁にフック２０を固定するための構造を有している。なお図２においては、左側壁９ａにフック２０を固定する例を示したが、右側壁９ｂに対しても同様にフック２０を固定できる。
【００１９】
図３は、取付部１１の断面図である。取付部１１は、左側壁９ａの取付孔１０ａおよび右側壁９ｂの取付孔１０ｂの中間位置に形成され、挿入部２２の開口２２ａに留め具１２を挿通して挿入部２２を基部７に取り付けるための構造をもつ。左右側壁の取付孔１０の間には、挿入部２２の挿入経路が直線状に形成され、挿入経路は、底部７ａ、ガイド下板７ｄおよびガイド壁７ｅにより画定される。ガイド下板７ｄは、挿入部２２の上下方向の傾きを規制し、ガイド壁７ｅは、挿入部２２の水平方向の傾きを規制する。幅広の挿入規制部２２ｂが取付孔１０の縁部に当接するまで挿入部２２が取付孔１０に挿入された状態で、開口２２ａの先端がねじ穴７ｃに重なり、留め具１２によって挿入部２２を底部７ａに取り付ける。これによりフック２０が工具本体２に固定される。
【００２０】
以上のように、電動工具１は、フック２０を、基部７の左側壁９ａおよび右側壁９ｂのいずれにも取付可能な構造を有している。実施形態は、この構造を利用して、工具本体２に取付可能な先端工具ホルダを提供する。
【００２１】
図４は、電動工具１に取付可能な先端工具ホルダ３０の斜視図の一例を示す。先端工具ホルダ３０は、取付孔１０に挿入される爪部３１と、先端工具を収納可能な収納部３２と、爪部３１に対向する開口部３３とを備える。先端工具ホルダ３０は、収納部３２を背面にて支持する支持部３４を有し、支持部３４の両端から一対の第１アーム部３４ａおよび第２アーム部３４ｂが延出して形成される。第１アーム部３４ａに開口部３３が設けられ、第２アーム部３４ｂに爪部３１が設けられる。第１アーム部３４ａおよび第２アーム部３４ｂは対向し、これにより開口部３３と爪部３１とが対向する。
【００２２】
先端工具ホルダ３０は、電動工具１の背面に取り付けられる。爪部３１および開口部３３は、先端工具ホルダ３０の高さ方向において同じ高さに設けられる。工具背面への取付時、爪部３１が、基部７の右側壁９ｂに設けられた取付孔１０ｂに挿入されると、開口部３３は、左側壁９ａに設けられた取付孔１０ａに重なる位置に配置される。爪部３１の断面形状は、取付孔１０に挿入可能な形状に形成され、取付孔１０の幅よりも僅かに小さい幅を有し、取付孔１０の高さよりも僅かに小さい高さを有することが好ましい。この断面形状により、爪部３１を取付孔１０に挿入した際に、爪部３１が取付孔１０に安定して嵌合する。
【００２３】
貫通孔である開口部３３は、取付孔１０の外側に配置された状態で、フック２０の挿入部２２を挿入される。そのため開口部３３の断面形状は、挿入部２２を挿入可能な形状に形成され、取付孔１０と同じ断面形状を有してよい。支持部３４の横方向の幅長は、基部７に設けられた左右の取付孔１０の間の距離に応じて設定される。
【００２４】
収納部３２は、先端工具の軸線が、爪部３１と開口部３３とが対向する方向に実質的に垂直となるように、先端工具を収納可能である。つまり収納部３２は、先端工具を立てた状態で保持する保持溝３２ａを有する。
【００２５】
図５（ａ）〜図５（ｃ）は、先端工具ホルダ３０を基部７の背面に取り付ける手順を説明するための図である。図５（ａ）に示すように、基部７の左側壁９ａには取付孔１０ａが形成され、右側壁９ｂには取付孔１０ｂが形成され、取付孔１０ａと取付孔１０ｂとの中間位置には、ねじ穴７ｃが形成されている。この基部背面に対して、先端工具ホルダ３０を後方側から近づけ、先端工具ホルダ３０の爪部３１を、基部７の取付孔１０ｂに挿入する。
【００２６】
図５（ｂ）は、爪部３１を取付孔１０ｂに挿入した状態を示す。先端工具ホルダ３０の第１アーム部３４ａ、第２アーム部３４ｂは可撓性を有し、両アーム部は拡開可能となっている。爪部３１を取付孔１０ｂに挿入する際には、この可撓性を利用して第１アーム部３４ａと第２アーム部３４ｂとを拡開して、爪部３１を取付孔１０ｂに入り込ませる。
【００２７】
このとき第１アーム部３４ａに形成された開口部３３は、先端工具ホルダ３０において爪部３１と同じ高さに設けられているため、左側壁９ａの取付孔１０ａに外側から重なる位置に配置される。これにより開口部３３、取付孔１０ａに、フック２０の挿入部２２が挿入可能となる。
【００２８】
図５（ｃ）は、フック２０の挿入部２２を、開口部３３および取付孔１０ａに挿入した状態を示す。挿入部２２を開口部３３および取付孔１０ａに挿入することで、先端工具ホルダ３０の第１アーム部３４ａおよび第２アーム部３４ｂが、基部７に対して係止される。その後、ねじである留め具１２を開口２２ａに挿通して、ねじ穴７ｃに締結することで、先端工具ホルダ３０を基部７に固定する。なお、先端工具ホルダ３０を基部７から取り外す際には、上記した取付手順と逆の手順を実施することで、先端工具ホルダ３０を基部７から容易に取り外すことができる。
【００２９】
図６は、電動工具１に先端工具ホルダ３０を取り付けた状態を示す。図６に示すように、先端工具ホルダ３０の収納部３２は、先端工具４０を立てた状態で収納する。そのため収納部３２に保持された先端工具４０の軸線方向は、電動工具１の左右方向に直交する方向となる。
【００３０】
電動工具１を床面に置く場合、直立させた状態では不安定なため、側面を下にして寝かせるようにする。この例では、背面視において左側面側の左側壁９ａにフック２０を取り付けているため、作業者は、右側面を下にして電動工具１を床面に置く。その際、先端工具ホルダにおいて先端工具４０の軸線が電動工具１の左右方向を向くように保持されていると、先端工具４０の先端が床面に接触して、傷つく恐れがある。この点、実施形態の先端工具ホルダ３０は、先端工具４０を横向きではなく、縦向きに保持するため、電動工具１が側面を下にして床面に置かれても、先端工具４０が床面に接触することがない。
【００３１】
図７は、取付部の変形例の断面図である。取付部１１ａは、左側壁９ａの取付孔１０ａおよび右側壁９ｂの取付孔１０ｂの中間位置に形成され、挿入部２２の開口２２ａに留め具１２を挿通して挿入部２２を基部７に取り付けるための構造をもつ。左右側壁の取付孔１０の間には、挿入部２２の挿入経路が直線状に形成され、挿入経路は、底部７ａ、ガイド下板７ｄおよびガイド壁７ｅにより画定される。ガイド下板７ｄは、挿入部２２の上下方向の傾きを規制し、ガイド壁７ｅは、挿入部２２の水平方向の傾きを規制する。
【００３２】
図３に示す取付部１１の構成と異なり、図７に示す取付部１１ａは、係止部材である留め具１２で、挿入部２２を基部７に取り付ける。留め具１２は、コイルばねである弾性部材１２ｂによりガイド下板７ｄに向かう方向に付勢されている。留め具１２は、ガイド下板７ｄから露出する押しボタン１２ａに連結され、作業者は、押しボタン１２ａを押し込むことで、挿入部２２の開口２２ａに留め具１２を係合させ、または開口２２ａから留め具１２を抜くことができる。留め具１２が開口２２ａに係合することで、挿入部２２が基部７に取り付けられる。これによりフック２０が工具本体２に固定される。
【００３３】
取付部１１ａによれば、ねじで挿入部２２を締結しないため、ドライバなどの締付工具がなくても、フック２０を容易に工具本体２に取り付けることが可能となる。なお図７に示す例では、留め具１２が挿入部２２の開口２２ａに係合するが、挿入部２２の側面にのこぎり歯状の突起を形成し、留め具１２が、その突起に係合することで、挿入部２２が基部７に取り付けられてもよい。
【００３４】
図８および図９は、先端工具ホルダ３０ａの変形例を示す。先端工具ホルダ３０ａは、ホルダ本体３６から、電動工具１の取付孔１０に挿入される爪部３１ａを分離可能とした構成を有する。
【００３５】
図８（ａ）は、ホルダ本体３６と爪体３７の斜視図を示す。ホルダ本体３６は、先端工具を収納可能な収納部３２と、互いに対向する第１開口部３３ａおよび第２開口部３３ｂとを備える。ホルダ本体３６は、収納部３２を背面にて支持する支持部３４を有し、支持部３４の両端から第１アーム部３４ａおよび第２アーム部３４ｂが延出して形成される。第１アーム部３４ａおよび第２アーム部３４ｂは対向し、これにより第１開口部３３ａおよび第２開口部３３ｂとが対向する。
【００３６】
第１アーム部３４ａおよび第２アーム部３４ｂは、爪体３７を固定するための留め具３１ｃを取り付けられる第１挿通孔３５ａおよび第２挿通孔３５ｂを有する。第１アーム部３４ａにおいて、第１挿通孔３５ａは、第１開口部３３ａの長手方向に平行な線を第１開口部３３ａから延ばした位置に設けられ、すなわち第１開口部３３ａと第１挿通孔３５ａとは、同じ高さに設けられる。また第２アーム部３４ｂにおいて、第２挿通孔３５ｂは、第２開口部３３ｂの長手方向に平行な線を第２開口部３３ｂから延ばした位置に設けられ、すなわち第２開口部３３ｂと第２挿通孔３５ｂとは、同じ高さに設けられる。
【００３７】
爪体３７は、ホルダ本体３６とは独立した部品として形成される。爪体３７は、取付孔１０に挿入される爪部３１ａと、留め具３１ｃを挿通可能な挿通孔３１ｂとを有する。爪体３７において、挿通孔３１ｂは、爪部３１ａの長手方向（幅方向）に平行な線を爪部３１ａから延ばした位置に設けられ、すなわち爪部３１ａと挿通孔３１ｂとは、同じ高さに設けられる。
【００３８】
以上の構成により、爪部３１ａは、第１開口部３３ａまたは第２開口部３３ｂのいずれにも取り付けられるようになる。
図８（ｂ）は、爪体３７を第１アーム部３４ａに固定した状態を示す。爪部３１ａは、第１開口部３３ａに挿通されて、第１アーム部３４ａの内側に突出する。これにより爪部３１ａと第２開口部３３ｂとが対向し、先端工具ホルダ３０ａは電動工具１の基部７に取付可能となる。
【００３９】
たとえばフック２０を、工具本体２の背面視にて右側面の取付孔１０ｂに取り付ける場合、先端工具ホルダ３０ａの爪部３１ａは、工具本体２の左側壁９ａの取付孔１０ａに挿入される必要がある。フック２０を右側面または左側面に取り付けるかは作業者の利き手による。先端工具ホルダ３０ａによれば、爪部３１ａを第１アーム部３４ａまたは第２アーム部３４ｂのいずれにも取付可能であるため、フック２０が工具本体２の右側面または左側面のいずれに取り付けられていても、先端工具ホルダ３０ａを工具本体２に取り付けることができる。
【００４０】
なお収納部３２は、先端工具の軸線が、第１開口部３３ａと第２開口部３３ｂとが対向する方向に実質的に垂直となるように先端工具を保持する複数の保持溝３２ａを有する。図８（ａ）に示す収納部３２では、複数の保持溝３２ａが前後方向に一部重なりながら左右方向に配置されている。複数の保持溝３２ａが前後方向にジグザグに配置されることで、左右方向に一列に配置した場合と比較すると、左右方向の幅長を狭くできる。上記したように、電動工具１は、フック２０が設けられていない側面を下にして床面に置かれることがあるため、収納部３２の左右方向の幅は、支持部３４の幅よりも小さいことが好ましい。収納部３２における先端工具の保持可能数を多くするためにも、複数の保持溝３２ａを、前後方向に重ねて配置することは好適である。
【００４１】
図９（ａ）は、ホルダ本体３６と爪体３７の斜視図を示す。この例では、爪体３７の爪部３１ａを、第２アーム部３４ｂの第２開口部３３ｂに挿入する。図８（ａ）に示す爪体３７と比較すると、図９（ａ）に示す爪体３７は、長手方向を回転軸として１８０度回転した状態となっている。爪体３７において、爪部３１ａと挿通孔３１ｂとが同じ高さに設けられ、また第２アーム部３４ｂにおいて第２開口部３３ｂと第２挿通孔３５ｂとが同じ高さに設けられている。そのため爪部３１ａを第２開口部３３ｂに挿入したときに、挿通孔３１ｂと第２挿通孔３５ｂとが重なるようになる。
【００４２】
図９（ｂ）は、爪体３７を第２アーム部３４ｂに固定した状態を示す。爪部３１ａは、第２開口部３３ｂに挿通されて、第２アーム部３４ｂの内側に突出する。これにより爪部３１ａと第１開口部３３ａとが対向し、先端工具ホルダ３０ａは電動工具１の基部７に取付可能となる。
【００４３】
このように先端工具ホルダ３０ａによれば、爪部３１ａを、第１開口部３３ａまたは第２開口部３３ｂのいずれにも固定可能であるため、フック２０の取付位置に制限されることなく工具本体２に取付可能となる。
【００４４】
本発明の態様の概要は、次の通りである。
本発明のある態様の先端工具ホルダ（３０、３０ａ）は、電動工具（１）に取付可能であって、電動工具に形成された取付孔（１０ａ、１０ｂ）に挿入される爪部（３１、３１ａ）と、先端工具を収納可能な収納部（３２）と、爪部に対向する開口部（３３）とを備える。
【００４５】
収納部（３２）は、先端工具の軸線が、爪部（３１、３１ａ）と開口部（３３）とが対向する方向に実質的に垂直となるように先端工具を収納可能であってよい。先端工具ホルダは、対向する一対のアーム部（３４ａ、３４ｂ）を備え、一方のアーム部に爪部（３１）が設けられ、他方のアーム部に開口部（３３）が設けられてよい。
【００４６】
先端工具ホルダ（３０ａ）は、対向する第１開口部（３３ａ）と第２開口部（３３ｂ）とを備え、爪部（３１ａ）は、第１開口部または第２開口部のいずれかに挿入されて固定されてよい。開口部（３３）は、爪部（３１）が挿入された取付孔（１０ｂ）とは別の取付孔（１０ａ）に重なり、フックの挿入部（２２）が挿入されて電動工具に支持されてよい。
【００４７】
本発明の別の態様の電動工具（１）は把持部（４）を有する。電動工具（１）は、把持部の下方の基部（７）において左右一対に形成された取付孔（１０ａ、１０ｂ）と、取付孔に挿入されたフック（２０）の挿入部（２２）を基部に取り付けるための取付部（１１、１１ａ）とを備える。一方の取付孔に、先端工具を収納可能な収納部（３２）を有する先端工具ホルダ（３０）の爪部（３１）が挿入され、他方の取付孔に先端工具ホルダの開口部（３３）が重ねられた状態で、開口部および他方の取付孔に挿入されたフックの挿入部（２２）を取付部が基部に取り付けることで、先端工具ホルダが装着される。
【００４８】
取付部（１１ａ）は、フックの挿入部に係合する留め具（１２）と、留め具を付勢する弾性部材（１２ｂ）とを有して構成されてよい。
【００４９】
以上、本発明を実施形態をもとに説明した。この実施形態は例示であり、それらの各構成要素あるいは各処理プロセスの組合せにいろいろな変形例が可能なこと、またそうした変形例も本発明の範囲にあることは当業者に理解されるところである。
【００５０】
実施形態では、先端工具ホルダ３０の開口部３３に、フック２０の挿入部２２が挿入されて、挿入部２２が基部７に固定されることで、先端工具ホルダ３０が電動工具１に支持されることを説明した。変形例では、フック２０の挿入部２２ではなく、先端工具ホルダ３０を支持するための専用の固定具を用いて、先端工具ホルダ３０が電動工具１に支持されてもよい。専用の固定具は、挿入部２２および挿入規制部２２ｂと同じ形状を備えて構成されてよい。
【符号の説明】
【００５１】
１・・・電動工具、２・・・工具本体、４・・・把持部、７・・・基部、７ａ・・・底部、７ｃ・・・ねじ穴、７ｄ・・・ガイド下板、７ｅ・・・ガイド壁、９ａ・・・左側壁、９ｂ・・・右側壁、１０，１０ａ，１０ｂ・・・取付孔、１１，１１ａ・・・取付部、１２・・・留め具、１２ａ・・・押しボタン、１２ｂ・・・弾性部材、２０・・・フック、２１・・・掛止部、２２・・・挿入部、２２ａ・・・開口、２２ｂ・・・挿入規制部、３０，３０ａ・・・先端工具ホルダ、３１，３１ａ・・・爪部、３１ｂ・・・挿通孔、３１ｃ・・・留め具、３２・・・収納部、３２ａ・・・保持溝、３３・・・開口部、３３ａ・・・第１開口部、３３ｂ・・・第２開口部、３４・・・支持部、３４ａ・・・第１アーム部、３４ｂ・・・第２アーム部、３５ａ・・・第１挿通孔、３５ｂ・・・第２挿通孔、３６・・・ホルダ本体、３７・・・爪体、４０・・・先端工具。
【図１】
2017159419.tif 000003
【図２】
2017159419.tif 000004
【図３】
2017159419.tif 000005
【図４】
2017159419.tif 000006
【図５】
2017159419.tif 000007
【図６】
2017159419.tif 000008
【図７】
2017159419.tif 000009
【図８】
2017159419.tif 000010
【図９】
2017159419.tif 000011